(57)【要約】固定具（２）の開口部（５）に着脱自在な支持具（３）とを備え、開口部（５）の第一上面部（５１）は、開口側（Ｘ１）から反対側（Ｘ２）に向かって下方側（Ｙ２）に傾斜する第一前方面部（５１１）と、第一前方面部（５１１）に連続して形成され開口側（Ｘ１）から反対側（Ｘ２）に向かって上方側（Ｙ１）に傾斜する第一後方面部（５１２）とにて形成され、第一下面部（５２）は、第一前方面部（５１１）に平行に傾斜し、支持具（３）の挿入部（３０）の第二上面部（３１）は、第一前方面部（５１１）に当接する第二前方面部（３１１）と、第一後方面部（５１２）に当接する第二後方面部（３１２）と、第二下面部（３２）は、開口側（Ｘ１）から反対側（Ｘ２）に向かって下方側（Ｙ２）に傾斜し第二前方面部（３１１）の傾斜角（θ１）より小さな傾斜角（θ２）にて形成され、第一下面部（５２）の開口側端（５２１）にて当接する。
2018087884.tif 000002
【特許請求の範囲】
【請求項１】
開口部が形成された固定具と、
前記開口部に着脱自在に取り付けられる支持具と、
前記支持具に固着され荷重を支持する受け具とを備えた支持装置であって、
前記固定具の前記開口部において、
前記開口部の第一上面部は、開口側から反対側に向かって下方側に傾斜する第一前方面部と、前記第一前方面部に連続して形成され開口側から反対側に向かって上方側に傾斜する第一後方面部とにて形成され、
前記開口部の第一下面部は、前記第一前方面部に平行に傾斜して形成され、
前記開口部の第一側面部および第二側面部は、平面状にそれぞれ形成され、
前記支持具は、前記開口部に挿入する挿入部を有し、
前記挿入部において、
前記挿入部の第二上面部は、前記第一前方面部に当接する第二前方面部と、前記第一後方面部に当接する第二後方面部とにて形成され、
前記挿入部の第二下面部は、開口側から反対側に向かって下方側に傾斜するとともに前記第二前方面部の水平方向とのなす傾斜角より小さな水平方向とのなす傾斜角にて形成されるとともに、前記第一下面部の開口側端にて当接して形成され、
前記挿入部の第三側面部および第四側面部は、前記第一側面部および前記第二側面部にそれぞれ当接して形成される支持装置。
【請求項２】
前記固定具の前記開口部の外側には、前記開口部の前記第一下面部から連続して下方側に延びる第一鉛直面部が形成され、
前記支持具には、前記挿入部の前記第二下面部から連続して形成されるとともに前記第一鉛直面部に当接する第二鉛直面部が形成される請求項１に記載の支持装置。
【請求項３】
前記固定具の前記第一前方面部の開口側に向かう水平方向の長さは、前記固定具の前記第一後方面部の開口側に向かう水平方向の長さの４倍以上にて形成される請求項１または請求項２に記載の支持装置。
【請求項４】
前記固定具の前記第一前方面部および前記挿入部の前記第二前方面部の水平方向とのなす傾斜角は、２０度にて、
前記固定具の前記第一後方面部および前記挿入部の前記第二後方面部の水平方向とのなす傾斜角は、３０度にて、
前記挿入部の前記第二下面部の水平方向とのなす傾斜角は、８度にてそれぞれ形成される請求項１から請求項３のいずれか１項に記載の支持装置。
【請求項５】
前記固定具には、前記開口部が鉛直方向に連続して複数個形成される請求項１から請求項４のいずれか１項に記載の支持装置。
【請求項６】
前記固定具は、複数の同形のチップ部を備え、
１つの前記チップ部の下面にて、前記開口部の前記第一上面部が形成され、
他の１つの前記チップ部の上面にて、前記開口部の前記第一下面部が形成される請求項１から請求項５のいずれか１項に記載の支持装置。
【請求項７】
前記固定具は、前記第一側面部および前記第二側面部を形成する２枚の側面板部と、
２枚の前記側面板部に複数の前記チップ部を挟持して構成され、
２枚の前記側面板部の前記第一側面部および前記第二側面部には鉛直方向に連続する第一凹凸部が形成され、
複数の前記チップ部の側面には、前記第一凹凸部に嵌合する第二凹凸部が形成され、
複数の前記チップ部の前記第二凹凸部が、２枚の前記側面板部に前記第一凹凸部に嵌合して挟持され形成される請求項６に記載の支持装置。
【請求項８】
前記固定具の前記開口部の前記第一側面部および前記第二側面部の開口側に向かう水平方向の長さは、前記固定具の前記開口部の前記第一上面部および前記第一下面部の開口側に向かう水平方向の長さより長く形成される請求項１から請求項７のいずれか１項に記載の支持装置。
【請求項９】
前記受け具の鉛直方向の長さは、前記開口部の鉛直方向の長さより短く形成される請求項１から請求項８のいずれか１項に記載の支持装置。
【請求項１０】
前記固定具は、前記開口部の開口側と反対側の第一底面部に外部から電源を送電する配線部を有し、
前記支持具は、前記固定具に装着した際の開口側と反対側の第二底面部に、前記配線部に接触して前記固定具の前記開口部の開口側から外部に電源を引き出す電源部を有する請求項１から請求項９のいずれか１項に記載の支持装置。
【請求項１１】
前記電源部は、前記配線部と接触するスプリング電極部と、
前記スプリング電極部に接続される引き出し線部とにて形成されている請求項１０に記載の支持装置。
【請求項１２】
請求項１から請求項１１のいずれか１項に記載の支持装置において、
前記固定具を一対有し、
一対の前記固定具の前記開口部は、高さ方向において同一箇所に形成され、
一対の前記固定具の高さ方向において同一箇所に形成され一対の前記開口部に挿入される一対の前記支持具を有し、
一対の前記支持具の一対の前記受け具は、一対の前記受け具を跨がる荷重を支持する支持装置。
【発明の詳細な説明】
【技術分野】
【０００１】
この発明は、固定具に対して支持具を安定的に固定できる支持装置に関するものである。
【背景技術】
【０００２】
従来の支持装置は、サポート部材に上下多段に設けられたスリットに、後端部に設けられた係止フックが挿入され片持ち状に支持され、上部に棚板が載置される陳列棚用ブラケットにおいて、前記棚板が載置される面に装着される断面コの字状の樹脂製滑り止め材と、前記載置面部に設けられ前記滑り止め材のブラケットからの脱落を抑制する突部とを備え、前記突部の高さが滑り止め材の樹脂の弾性力で吸収可能な高さに形成される。
【先行技術文献】
【特許文献】
【０００３】
【特許文献１】特開２００８−１３６６８５号公報
【発明の概要】
【発明が解決しようとする課題】
【０００４】
従来の支持装置は、スリットに係止フックを挿入した場合、スリットの上面部側と、係止フックの上面部側との間に空間が存在するため、ブラケットが安定的に固定されないという問題点があった。【０００５】
この発明は上記のような課題を解決するためになされたものであり、固定具に対して支持具を安定的に固定できる支持装置を提供することを目的とする。
【課題を解決するための手段】
【０００６】
この発明の支持装置は、
開口部が形成された固定具と、
前記開口部に着脱自在に取り付けられる支持具と、
前記支持具に固着され荷重を支持する受け具とを備えた支持装置であって、
前記固定具の前記開口部において、
前記開口部の第一上面部は、開口側から反対側に向かって下方側に傾斜する第一前方面部と、前記第一前方面部に連続して形成され開口側から反対側に向かって上方側に傾斜する第一後方面部とにて形成され、
前記開口部の第一下面部は、前記第一前方面部に平行に傾斜して形成され、
前記開口部の第一側面部および第二側面部は、平面状にそれぞれ形成され、
前記支持具は、前記開口部に挿入する挿入部を有し、
前記挿入部において、
前記挿入部の第二上面部は、前記第一前方面部に当接する第二前方面部と、前記第一後方面部に当接する第二後方面部とにて形成され、
前記挿入部の第二下面部は、開口側から反対側に向かって下方側に傾斜するとともに前記第二前方面部の水平方向とのなす傾斜角より小さな水平方向とのなす傾斜角にて形成されるとともに、前記第一下面部の開口側端にて当接して形成され、
前記挿入部の第三側面部および第四側面部は、前記第一側面部および前記第二側面部にそれぞれ当接して形成される
ものである。
【発明の効果】
【０００７】
この発明の支持装置によれば、
固定具に対して支持具を安定的に支持できる。
【図面の簡単な説明】
【０００８】
【図１】この発明の実施の形態１の支持装置の構成を示す図である。
【図２】図１に示した支持装置の支持具および受け具の構成を示す図である。
【図３】図２に示した支持具および受け具の詳細を示す図である。
【図４】図１に示した支持装置の固定具の構成を示す斜視図である。
【図５】図４に示した固定具の構成を示す図である。
【図６】図５に示した固定具のチップ部の構成を示す図である。
【図７】図６に示したチップ部の詳細を示す図である。
【図８】図１に示した支持装置の固定具への支持具の挿入方法を示す図である。
【図９】図１に示した支持装置の支持具および受け具の他の構成を示す図である。
【図１０】この発明の実施の形態１の支持装置における支持具および受け具の他の構成を示す図である。
【図１１】図１に示した支持装置の原理について説明する図である。
【図１２】図１に示した支持装置の使用例を示す図である。
【図１３】この発明の実施の形態２の支持装置の固定具の構成を示す図である。
【図１４】この発明の実施の形態２の支持装置の支持具および受け具の構成を示す図である。
【発明を実施するための形態】
【０００９】
実施の形態１．
以下、本願発明の実施の形態について説明する。図１はこの発明の実施の形態１の支持装置の構成を示す図である。図１は後述する一方の側面板部９を外した状態を示す図である。図２は図１に示した支持装置の支持具および受け具の構成を示す図である。図２（Ａ）は支持具および受け具の正面図、図２（Ｂ）は支持具および受け具の左側面図、図２（Ｃ）は支持具および受け具の右側面図、図２（Ｄ）は支持具および受け具の平面図、図２（Ｅ）は支持具および受け具の底面図を示す。
【００１０】
図３は図２に示した支持具および受け具の詳細を示す部分拡大図である。図３（Ｂ）は図３（Ａ）の点線にて囲んだ部分を更に拡大して示した部分拡大図である。図４は図１に示した支持装置の固定具の構成を示す斜視図である。図５は図４に示した固定具の構成を示す図である。図５（Ａ）は固定具の正面図、図５（Ｃ）は固定具の右側面図、図５（Ｄ）は固定具の平面図を示す。
【００１１】
図６は図５に示した固定具のチップ部の構成を示す図である。図６（Ａ）はチップ部の正面図、図６（Ｂ）はチップ部の左側面図、図６（Ｃ）はチップ部の右側面図、図６（Ｄ）はチップ部の平面図、図６（Ｅ）はチップ部の底面図を示す。図７は図６に示したチップ部の詳細を示す拡大図である。図７（Ｂ）は図７（Ａ）の点線にて囲んだ部分を更に拡大して示した部分拡大図である。図８は図１に示した支持装置の固定具への支持具の挿入方法を示す図である。
【００１２】
図９は図１に示した支持装置の支持具および受け具の他の構成を示す図である。図９（Ａ）は支持具および受け具の正面図、図９（Ｂ）は支持具および受け具の左側面図を示す。図１０はこの発明の実施の形態１の支持装置における支持具および受け具の他の構成を示す図である。図１０（Ａ）は支持具および受け具の正面図、図１０（Ｂ）は支持具および受け具の左側面図を示す。図１１は図１に示した支持装置の原理を示す図である。図１１（Ａ）は支持装置の受け具に鉛直方向の下方側に力が係る場合の原理を示し、図１１（Ｂ）は支持装置の受け具に鉛直方向の上方側に力が係る場合の原理を示す。図１２は図１に示した支持装置の使用例を示す斜視図である。
【００１３】
図において、支持装置１は、開口部５が形成された固定具２と、開口部５に着脱自在に取り付けられる支持具３と、支持具３に固着され荷重を支持する受け具４とにて構成される。支持装置１の固定具２の長手方向が鉛直方向Ｙとなるように床１０に起立して設置されるものである。図４の固定具２において示したように、鉛直方向Ｙ、水平方向Ｘ、短手方向Ｚとして以下説明する。
【００１４】
尚、鉛直方向Ｙは、長手方向であり、高さ方向Ｙとして示す場合もある。そして、当該固定具２の開口部５に支持具３を着脱するものである。支持装置１の目的は、固定具２に装着された支持具３に連なる受け具４にて荷重、例えば、棚板、ハンガーかけ用治具、電気機器などを支持するものである。
【００１５】
固定具２の開口部５について説明する。開口部５は、第一上面部５１、第一下面部５２、第一側面部５３、第二側面部５４、および第一底面部５６にて形成される。第一上面部５１は、第一前方面部５１１と、第一後方面部５１２とにて形成される。第一前方面部５１１は、開口部５の開口側Ｘ１から反対側Ｘ２に向かって下方側Ｙ２に傾斜して形成される。第一前方面部５１１の水平方向Ｘとのなす傾斜角θ１（図７（Ａ）参照）は、例えば２０度にて形成される。
【００１６】
第一後方面部５１２は、第一前方面部５１１に連続して形成される。第一後方面部５１２は、開口部５の開口側Ｘ１から反対側Ｘ２に向かって上方側Ｙ１に傾斜して形成される。第一後方面部５１２の水平方向Ｘとのなす傾斜角θ２（図７（Ｂ）参照）は、例えば３０度にて形成される。開口部５の第一下面部５２は、第一前方面部５１１に平行に傾斜して形成される。よって、第一下面部５２の水平方向Ｘとのなす傾斜角θ１は、例えば２０度にて形成される。
【００１７】
第一前方面部５１１の開口側Ｘ１に向かう水平方向Ｘの長さＷ１４は、第一後方面部５１２の開口側Ｘ１に向かう水平方向Ｘの長さＷ１３の４倍以上にて形成される。ここでは６倍程度にて形成される。開口部５の長手方向すなわち鉛直方向Ｙの長さＷ２は、短手方向Ｚの長さＷ１の１０倍程度にて形成される。開口部５の第一側面部５３および第二側面部５４（図５（Ｄ）参照）は、鉛直方向Ｙに平行に平面状にてそれぞれ形成される。
【００１８】
開口部５の第一側面部５３および第二側面部５４の開口側Ｘ１に向かう水平方向Ｘの長さＷ６は、開口部５の第一上面部５１および第一下面部５２の開口側Ｘ１に向かう水平方向Ｘの長さＷ５より長く形成される。開口部５の外側には、開口部５の第一下面部５２から連続して下方側Ｙ２に延びる第一鉛直面部５５が形成される。固定具２は、開口部５の開口側Ｘ１と反対側Ｘ２の第一底面部５６に外部の電源７から送電する配線部５７を有する。
【００１９】
支持具３は、開口部５に挿入する挿入部３０を有する。挿入部３０は、第二上面部３１、第二下面部３２、第三側面部３３、第四側面部３４および第二底面部３６にて形成される。第二上面部３１は、第二前方面部３１１と、第二後方面部３１２とにて形成される。第二前方面部３１１は、第一前方面部５１１に当接するように形成されるため、開口部５の開口側Ｘ１から反対側Ｘ２に向かって下方側Ｙ２に傾斜して形成される。よって、第二前方面部３１１の水平方向Ｘとのなす傾斜角θ１は、開口部５の第一前方面部５１１と同様の２０度にて形成される。また、第二後方面部３１２の鉛直方向Ｙとのなす傾斜角θ４は、６０度にて形成される。
【００２０】
第二後方面部３１２は、第一後方面部５１２に当接するように形成されるため、開口部５の開口側Ｘ１から反対側Ｘ２に向かって上方側Ｙ１に傾斜して形成される。よって、第二後方面部３１２の水平方向Ｘとのなす傾斜角θ２は、開口部５の第一前方面部５１１と同様の３０度にて形成される。第二下面部３２は、開口側Ｘ１から反対側Ｘ２に向かって下方側Ｙ２に傾斜するとともに第二前方面部３１１の水平方向Ｘとのなす傾斜角θ１より小さな水平方向Ｘとのなす傾斜角θ３にて形成される。さらに、第二下面部３２は、第二前方面部３１１の開口側端５２１にて当接する。
【００２１】
第二下面部３２の水平方向Ｘとのなす傾斜角θ３は、例えば８度にて形成される。第二前方面部３１１の開口側Ｘ１に向かう水平方向Ｘの長さＷ４は、第二後方面部３１２の開口側Ｘ１に向かう水平方向Ｘの長さＷ３の４倍以上、ここでは開口部５と同様の６倍程度にて形成される。第三側面部３３および第四側面部３４は、第一側面部５３および第二側面部５４にそれぞれ当接するように形成されるため、鉛直方向Ｙに平行に平面状にそれぞれ形成される。
【００２２】
支持具３には、挿入部３０の第二下面部３２から連続して形成されるとともに第一鉛直面部５５に当接する第二鉛直面部３５が形成される。受け具４の鉛直方向Ｙの長さＷ９は、開口部５の鉛直方向の長さＷ２より短く形成される。また、支持具３であって、電源を外部に引き出す場合には図９に示すように構成する。この場合は、挿入部３０の第二底面部３６に、配線部５７に接触して固定具２の開口部５の開口側Ｘ１から外部に電源を引き出す電源部３７を有する。
【００２３】
電源部３７は、配線部５７と接触するスプリング電極部３７１と、スプリング電極部３７１に接続される引き出し線部３７２とにて形成される。引き出し線部３７２は、受け具４に設置される照明器具などの電気機器に電源を供給するものである。また、他の例としては図１０に示すように、受け具４を水平方向Ｘの長さを短くして、電源の取り出しのみにて利用し、受け具４に装着した電気機器４４に接続する例も考えられる。
【００２４】
次に、固定具２の具体的な構成について説明する。固定具２は、複数の同形のチップ部６、側面板部８、９から構成されている。図６および図７に示すように、チップ部６は上面６２、下面６１、側面６３、６４、前面６５、後面６６を備える。下面６１にて、開口部５の第一上面部５１が形成される。上面６２にて、開口部５の第一下面部５２が形成される。前面６５にて、固定具２の第一鉛直面部５５が形成される。
【００２５】
側面６３には、短手方向Ｚの外側に突出する第二凹凸部としての凸部６３１、６３２が形成される。側面６４には、短手方向Ｚの外側に突出する第二凹凸部としての凸部６４１、６４２が形成される。側面６３、６４の中央部には、短手方向Ｚに貫通するネジ穴６７、６８が形成される。側面板部８、９は、チップ部６をネジ穴６７、６８にてネジ止めするためのネジ穴８４、８５、９４、９５が形成される。各側面板部８、９にて、開口部５の第一側面部５３、第二側面部５４および第一底面部５６が形成される。
【００２６】
各側面板部８、９の開口側Ｘ１に突出する突出部８１、９１にて、第一側面部５３および第二側面部５４の水平方向Ｘの長さＷ６を、開口部５の第一上面部５１および第一下面部５２の水平方向Ｘの長さＷ５より長く形成している。各側面板部８、９の第一側面部５３および第二側面部５４を形成する面部には、チップ部６の凸部６３１、６３２、６４１、６４２が嵌合するための第一凹凸部としての凹部８２、８３、９２、９３が鉛直方向Ｙに連続して形成される。尚、チップ部６の凸部６３１、６３２、６４１、６４２を凹部にて形成し、また、各側面板部８、９の凹部８２、８３、９２、９３を凸部にて形成しても同様に構成することができる。
【００２７】
各側面板部８、９の凹部８２、８３、９２、９３の所定の箇所にチップ部６の凸部６３１、６３２、６４１、６４２を嵌合する。そして、各側面板部８、９にてチップ部６を挟持して、ネジ穴６７、６８、８４、８５、９４、９５にてネジ止めして、固定具２を形成する。尚、ネジ止めに限られることは無く、例えば、溶接などにて固定することも可能である。また、各側面板部８、９の開口側Ｘ１と反対側Ｘ２にて、第一底面部５６が形成されるとともに、配線部５７が設置される。
【００２８】
ここで、支持装置１の具体的な大きさの例について説明する。支持装置１の各部分は金属材にて形成され、例えばステンレス材にて形成する場合が考えられる。支持装置１の固定具２の開口部５の短手方向Ｚの長さＷ１は３ｍｍ、鉛直方向Ｙの長さＷ２は３５ｍｍ、水平方向Ｘの長さＷ５は２４ｍｍにて形成される。開口部５の第一後方面部５１２の水平方向Ｘの長さＷ１３は３．５ｍｍ、第一前方面部５１１の水平方向Ｘの長さＷ１４は２０．５ｍｍにて形成される。
【００２９】
固定具２の突出部８１、９１の短手方向Ｚの長さＷ７は１ｍｍ、各側面板部８、９の短手方向Ｚの長さＷ８は１２ｍｍにて形成される。支持具３の挿入部３０の第二後方面部３１２の水平方向Ｘの長さＷ３は３．５ｍｍ、第二前方面部３１１の水平方向Ｘの長さＷ４は２０．５ｍｍにて形成される。
【００３０】
支持具３と受け具４との短手方向Ｚの長さＷ１は、上記に示した、固定具２の開口部５の短手方向Ｚの長さＷ１と同一であり、同一の厚み部材にて形成されている。そして、固定具２の開口部５は側面板部８および側面板部９にチップ部６のネジ止め、または、溶接などにて固定して形成されている。このため、当該固定による厚み分、固定具２の長さＷ１が支持具３と受け具４との長さＷ１とが同一であっても当該固定方法によって若干の厚みの違い、また、側面板部８および側面板部９のバネ効果により、固定具２の開口部５に支持具３の挿入部３０は挿入可能となる。
【００３１】
次に、上記のように構成された実施の形態１の支持装置１の固定具２の開口部５に、支持具３の挿入部３０を着脱する際の過程および支持装置１の原理について説明する。図８に示すように、受け具４の先端側を高さ方向Ｙの上方側Ｙ１に傾けて、支持具３の挿入部３０を開口部５に挿入していく。ここでは、開口部５の第一上面部５１の第一前方面部５１１に、挿入部３０の第二上面部３１の第二前方面部３１１を沿わせるとともに、開口部５の第一下面部５２に挿入部３０の第二下面部３２が沿うように挿入する。
【００３２】
この際、挿入部３０の第二上面部３１の第二後方面部３１２は、第二前方面部３１１とは異なり鉛直方向Ｙの上方側Ｙ１に傾斜しているため、挿入部３０の第二下面部３２が開口部５の第一下面部５２と同じ傾斜角にて当接するように形成されていれば、挿入部３０の第二後方面部３１２が開口部５の第一前方面部５１１に当接して挿入することができない。しかしながら、挿入部３０の第二下面部３２の傾斜角θ２が、開口部５の第一下面部５２の傾斜角θ１より小さく形成されているため、挿入部３０の第二後方面部３１２により挿入が遮られることなく、挿入部３０を開口部５へ挿入できる。
【００３３】
そして、図１に示すように、開口部５に挿入部３０が装着される。更にこの際、開口部５の第一側面部５３および第二側面部５４は、挿入部３０の第三側面部３３および第四側面部３４の挿入のガイドになるとともに、支持のガイドともなる。
【００３４】
そして、図１１（Ａ）に示すように、支持具３を固定具２の開口部５に挿入し終えた状態では、受け具４に負荷される荷重Ｇ１は固定具２により支持される。尚、荷重Ｇは受け具４の自らの荷重も含むものである。受け具４に荷重Ｇ１が矢印の方向、すなわち鉛直方向Ｙの下方側Ｙ２に力が負荷される。これは一般的に、支持装置１の受け具４の使用状態に相当する。そして、この状態では、開口部５の第一後方面部５１２に、挿入部３０の第二後方面部３１２が当接して、当接力Ｄ１が矢印の方向に係る。更に、開口部５の第一下面部５２の開口側端５２１に、挿入部３０の第二下面部３２が当接して、当接力Ｄ２が矢印の方向に係る。
【００３５】
更に、固定具２の第一鉛直面部５５に、支持具３の第二鉛直面部３５が当接して、当接力Ｄ３が矢印の方向に係る。このように少なくとも上記に示した３点の当接力Ｄ１、Ｄ２、Ｄ３が固定具２に働いて、受け具４の荷重Ｇ１が固定具２に分散して伝わり、ガタツクことがなく安定的に保持される。また、当然のことながら、開口部５の第一側面部５３および第二側面部５４が、挿入部３０の第三側面部３３および第四側面部３４を拘束することにより支持するためのガイドとなる。
【００３６】
また、図１１（Ｂ）に示すように、受け具４に荷重Ｇ２が矢印の方向、すなわち、鉛直方向Ｙの上方側Ｙ１の方向に力が負荷された場合について説明する。これは一般的に、支持装置１の受け具４を使用しているとき（図１１（Ａ）の状態）に、誤って、受け具４に当たり、鉛直方向Ｙの上方側Ｙ１の力が一時的に負荷された状態を示すものである。そして、この状態では、開口部５の第一上面部５１に、挿入部３０の第二上面部３１が当接して、当接力Ｄ４が矢印の方向に係る。
【００３７】
更に、開口部５の第一下面部５２に、挿入部３０の第二下面部３２が当接して、当接力Ｄ５が矢印の方向に係る。よって、このように上記に示した２点の当接力Ｄ４、Ｄ５が働いて、受け具４の荷重Ｇ２が固定具２に分散して伝わり、固定具２の開口部５から支持具３の挿入部３０が外れることを防止している。また、この場合も、当然のことながら、開口部５の第一側面部５３および第二側面部５４が、挿入部３０の第三側面部３３および第四側面部３４を拘束することにより支持するためのガイドとなる。
【００３８】
そして、開口部５から支持具３の挿入部３０を取り出すときは、先の装着手順と逆の手順にて、受け具４の先端側を鉛直方向Ｙの上方側Ｙ１に傾けて、支持具３および受け具４から取り出す。以上示したように、受け具４に鉛直方向Ｙの上方側Ｙ１に荷重Ｇ２が負荷されても、挿入部３０は開口部５から外れることはないが、受け具４を鉛直方向Ｙの上方側Ｙ１に限られた角度、すなわち、図８に示すように挿入時の限られた角度に傾けると、挿入部３０を開口部５から容易に外すことができる。
【００３９】
次に、上記のように構成された実施の形態１の支持装置の施工例について図１２を参考に説明する。まず、一対の固定具２を床１０に垂直に設置する。この際、側面板部８の突出部８１および側面板部９の突出部９１が、壁面部１１の厚み分突出するように設置する。そして、突出部８１および突出部９１に沿わせて壁面部１１をそれぞれ設置する。
【００４０】
この際、一対の固定具２の開口部５が、高さ方向Ｙにおいて同一箇所となるように設置される。そして、一対の固定具２の高さ方向Ｙにおいて同一位置に形成された一対の開口部５に一対の支持具３を設置する。そして、一対の支持具３の一対の受け具４は、一対の受け具４を跨がる荷重の例えばガラス板４１の設置された枠体４０を支持することができる。また、枠体４０の前面部４２にＬＥＤを設置すれば照明付き枠体として使用することもできる。また、１つの受け具４にハンガー受け具４３を荷重として支持することができる。尚、受け具４に係る荷重は、上記に示した以外の荷重であっても、支持具３が耐えうる荷重であれば様々な物品を支持することが可能である。
【００４１】
支持装置１の施工例は上記に示した場合に限られることはなく、固定具２の高さ方向Ｙを垂直に設置することができれば、他の施工例であっても支持具３および受け具４を同様に利用することが可能である。また、１つの固定具２のみを設置することも可能である。また、高さ方向Ｙに複数の開口部５を備えた１つの固定具２に、支持具３および受け具４を高さ方向Ｙの複数の開口部５にそれぞれ設置することも可能である。また、１つの開口部５のみを備えた固定具２に、１つの支持具３および受け具４を挿入して利用する場合も同様に可能である。
【００４２】
また、受け具４の構成は上記に示した場合に限られることなく、円柱形、正四角柱形など、支持具３に設置可能な形状であれば、様々な形状にて形成することが可能である。
【００４３】
上記のように構成された実施の形態１の支持装置によれば、固定具の開口部に支持具の挿入部を挿入すると、挿入部の第二前方面部は開口部の第一前方面部に当接し、挿入部の第二後方面部は開口部の第一後方面部に当接し、挿入部の第二下面部は開口部の第一下面部の開口側端にて当接し、挿入部の第三側面部および第四側面部は、開口部の第一側面部および第二側面部にそれぞれ当接するため、固定具に支持具がガタツクことなく安定的に支持できる。また、挿入部の第二下面部は、開口側から反対側に向かって下方に傾斜するとともに開口部の第二前方面部の水平方向とのなす傾斜角より小さな水平方向とのなす傾斜角にて形成されているため、挿入部を開口部に容易に着脱することができる。
【００４４】
また、挿入部の第二鉛直面部は開口部の第一鉛直面部に当接するため、固定具に支持具がガタツクことなくさらに安定的に支持できる。
【００４５】
また、固定具の第一前方面部の開口側に向かう水平方向の長さは、固定具の第一後方面部の開口側に向かう水平方向の長さの４倍以上にて形成されているため、挿入部を開口部にさらに容易に着脱することができる。
【００４６】
また、固定具の第一前方面部および挿入部の第二前方面部の水平方向とのなす傾斜角は、２０度にて、固定具の第一後方面部および挿入部の第二後方面部の水平方向とのなす傾斜角は、３０度にて、挿入部の第二下面部の水平方向とのなす傾斜角は、８度にてそれぞれ形成されるため、挿入部を開口部にさらに確実に着脱することができるとともに、固定具に支持具がガタツクことなく確実に支持できる。
【００４７】
また、固定具には、開口部が鉛直方向に連続して複数個形成されるので、鉛直方向において形成された複数の開口部のいずれかの位置に支持具を挿入することができ、高さ方向の自由度が増す。
【００４８】
また、固定具は、複数の同形のチップ部を備え、１つのチップ部の下面にて、開口部の第一上面部が形成され、他の１つのチップ部の上面にて、開口部の前記第一下面部が形成されため、支持装置を簡便に製作することができる。また、開口部の反対側に配線部を容易に設置することができる。特に、開口部が鉛直方向に連続して複数個形成する場合の、各開口部への配線部の設置に適している。
【００４９】
また、固定具は２枚の側面板部に複数のチップ部を挟持して構成され、２枚の側面板部の第一側面部および第二側面部には鉛直方向に連続する第一凹凸部が形成され、複数のチップ部の側面には、第一凹凸部に嵌合する第二凹凸部が形成されているため、複数のチップ部の第二凹凸部が、２枚の前記側面板部に第一凹凸部に嵌合して挟持されるため、固定具が容易にかつ強度に優れた構成となる。
【００５０】
また、固定具の開口部の第一側面部および第二側面部の開口側に向かう水平方向の長さは、固定具の開口部の第一上面部および第一下面部より開口側に向かう水平方向の長さより長く形成してるため、支持装置の施工した後に、開口部内の構造が外部から見えにくくなり、意匠的に優れている。また、支持装置の施工時に、第一側面部および第二側面部の外側に壁面部を設置できる、施工がおこないやすくなる。
【００５１】
また、受け具の高さ方向の長さは、開口部の高さ方向の長さより短く形成されるため、受け具が必要以上に大きく形成する必要がなく、意匠的に自由度が増し、優れている。
【００５２】
また、一対の固定具の開口部を高さ方向において同一箇所に形成し、高さ方向において同一位置に形成され一対の開口部に一対の支持具を挿入するため、一対の受け具に跨がる荷重を容易にかつガタツクことなく安定的に支持することができる。
【００５３】
また、固定具は、開口部の第一底面部に外部から電源を送電する配線部を有し、支持具の第二底面部に、配線部に接触して固定具の前記開口部の開口側から外部に電源を引き出す電源部を有しているため、支持装置の開口部から外部に電源を取り出すことができる。
【００５４】
また、電源部は、配線部と接触するスプリング電極部と、引き出し線部とにて形成されているため、簡便に形成することができる。
【００５５】
実施の形態２．
図１３はこの発明の実施の形態２の支持装置の固定具の一部の構成を示す図である。図１３（Ａ）は固定具の一部の正面図、図１３（Ｂ）は固定具の一部の斜視図を示す。図１４は図１３に示した固定具に使用する支持具および受け具の構成を示す図である。図１４（Ａ）は支持具および受け具の正面図、図１４（Ｂ）は支持具および受け具の左側面図、図１４（Ｃ）は支持具および受け具の右側面図、図１４（Ｄ）は支持具および受け具の平面図、図１４（Ｅ）は支持具および受け具の底面図を示す。
【００５６】
上記実施の形態１においては、固定具２の開口部５をチップ部６を用いて形成する例を示したがこれに限られることはなく、本実施の形態２においては、複数の開口部５を一体に形成する中間板部６０を使用する。図において、上記実施の形態１と同様の部分は同一符号を付して説明を省略する。本実施の形態２は、チップ部６にかえて中間板部６０を側面板部８および側面板部９に挟持してネジ止めまたは溶接にて固定することにより、上記実施の形態１と同様の開口部５を備えた固定具２を形成する。但し、チップ部６の場合と異なり、複数の開口部５の第一底面部５６間が鉛直方向Ｙにおいて連続して形成することができないため、第一底面部５６に配線部を備えていない。
【００５７】
また、開口部５の第一上面部５１の第一前方面部５１１を上記実施の形態１の場合より水平方向Ｘの長さより短く形成した場合を示している。この場合であっても、第一前方面部５１１の水平方向Ｘの長さＷ２４は、第一後方面部の水平方向Ｘの長さＷ１３の４倍程度を有している。また、第二前方面部３１１の開口側Ｘ１に向かう水平方向Ｘの長さＷ３４は、第二後方面部３１２の開口側Ｘ１に向かう水平方向Ｘの長さＷ３の４倍程度を有している。
【００５８】
上記のように構成された実施の形態２の支持装置は、上記実施の形態１よりも対荷重性は若干劣るものの、受け具の荷重に対して上記実施の形態１と同様に支持することができる。
【００５９】
また固定具は、第一側面部および第二側面部を構成するための２枚の側面板部と、開口部の他の箇所を形成するための１枚の中間板部を挟持して構成しているため、簡便な製造方法にて支持装置を製造することができ、低コストとなる。
【００６０】
尚、本発明は、その発明の範囲内において、各実施の形態を自由に組み合わせたり、各実施の形態を適宜、変形、省略することが可能である。
【図１】
2018087884.tif 000003
【図２】
2018087884.tif 000004
【図３】
2018087884.tif 000005
【図４】
2018087884.tif 000006
【図５】
2018087884.tif 000007
【図６】
2018087884.tif 000008
【図７】
2018087884.tif 000009
【図８】
2018087884.tif 000010
【図９】
2018087884.tif 000011
【図１０】
2018087884.tif 000012
【図１１】
2018087884.tif 000013
【図１２】
2018087884.tif 000014
【図１３】
2018087884.tif 000015
【図１４】
2018087884.tif 000016
【国際調査報告】
2018087884.tif 000017
2018087884.tif 000018